(57)【要約】【課題】操作ガイダンスを表示する機能を有する画像形成装置などにおいて、操作者が順に操作ガイダンスを見なくても、操作手順の全容を把握できるようにする。【解決手段】装置状態に応じた操作ガイダンスの概要を表示する機能および詳細なガイダンスを表示する機能を設け、操作ガイダンスの概要を表示した後に、さらに詳細な操作ガイダンスを表示するかどうかを選択可能とした。或いは詳細な操作ガイダンス表示中に、キー操作等により当該操作ガイダンスの表示を停止し概要を示すガイダンスを再表示できるようにした。【選択図】図４
2007264072.tif 000002
【特許請求の範囲】
【請求項１】
装置の状態に応じた操作ガイダンスを表示する表示手段を有する画像形成装置において、
表示する操作ガイダンスを選択する選択手段と、
前記選択手段が選択した操作ガイダンスを表示する表示手段とを持ち、
前記選択手段は、前記装置の状態に応じた操作ガイダンスの概要を選択した後、詳細な操作ガイダンスを選択することを特徴とする画像形成装置。
【請求項２】
前記選択手段は、前記操作ガイダンスの概要を選択し、所定の時間経過後、前記詳細な操作ガイダンスを選択することを特徴とする請求項１記載の画像形成装置。
【請求項３】
前記操作ガイダンスを切り替える操作を行う操作部を設け、
前記選択手段は、前記操作ガイダンスの概要を表示した後に、前記操作部の操作を受けると前記詳細な操作ガイダンスを選択することを特徴とする請求項１記載の画像形成装置。
【請求項４】
前記表示手段は、前記詳細な操作ガイダンスの表示中に前記操作部の操作を受けると当該操作ガイダンスの表示を停止し、前記選択手段は前記詳細な操作ガイダンスの表示中に前記操作部の操作を受けると操作ガイダンスの概要を再度選択することを特徴とする請求項３記載の画像形成装置。
【請求項５】
前記詳細な操作ガイダンスは、操作方法を図形により表示するデータであることを特徴とする請求項１ないし請求項４いずれか記載の画像形成装置。
【請求項６】
前記選択手段は前記詳細な操作ガイダンスの内容を所定の時間経過後、順次切り替えることを特徴とする請求項１ないし請求項５いずれか記載の画像形成装置。
【請求項７】
前記選択手段は前記操作部の操作を受けると前記詳細な操作ガイダンスを順次切り替えることを特徴とする請求項１ないし請求項５いずれか記載の画像形成装置。
【請求項８】
前記装置の状態に応じた操作ガイダンスは、媒体の詰まり、消耗品の寿命、ドラムカートリッジのセット忘れ、給紙トレイのセット不良、媒体切れのうちのいずれか１つ或いは複数に応じた操作ガイダンスのデータであることを特徴とする請求項１ないし請求項７記載の画像形成装置。
【発明の詳細な説明】
【技術分野】
【０００１】
本発明は、操作に関する表示を行なう表示手段を持つ画像形成装置に関するものである。
【背景技術】
【０００２】
一般に、この種の画像形成装置では、装置の前面などに液晶ディスプレイからなる表示装置を設け、操作ごとに次の操作内容を操作ガイダンスとして表示するようにしている。
【０００３】
例えば、連続用紙をセットする場合の操作ガイダンスでは、操作者が画像形成装置のフィーダに連続用紙をセットし、操作部の用紙セットスイッチを押下すると、改行モータを駆動し、連続用紙をフィードし、所定のフィードが完了すると、ページ長などの画像形成装置の設定値を変更するための設定機能スイッチの押下を促すメッセージを表示する。
【０００４】
そして、当該設定機能スイッチの押下を検出すると、設定登録モードに移行し、次の操作のガイダンスを表示するようにしている（例えば、特許文献１参照。）。
【特許文献１】特開平０８−１４２４２６号公報
【発明の開示】
【発明が解決しようとする課題】
【０００５】
しかしながら、上記従来の画像形成装置のガイダンス表示方法では、操作者は順に操作ガイダンスを見るしかなく、操作手順の全容を簡単に把握できないという問題があった。
【課題を解決するための手段】
【０００６】
本発明は、上記課題を解決するため以下の構成を採用する。すなわち、装置の状態に応じた操作ガイダンスを表示する表示手段を有する画像形成装置において、前記装置の状態に応じた操作ガイダンスの概要を表示した後、詳細な操作ガイダンスを表示するようにした。
【発明の効果】
【０００７】
以上の本発明によれば、装置の状態に応じた操作ガイダンスの概要を表示した後、詳細な操作ガイダンスを表示するようにしたので、装置状態に応じた必要な操作手順の全容を容易に把握することができる。
【発明を実施するための最良の形態】
【０００８】
以下、本発明に係る実施例を、広く利用されているＬＥＤカラープリンタを一例として図面を用いて詳細に説明するがこれには限らない。なお、図面に共通する要素には同一の符号を付す。
【実施例１】
【０００９】
実施例１の画像形成装置は、障害が発生したときに、復旧手順等の操作概要をガイダンス表示した後、詳細なガイダンスの表示をするようにしたものである。
【００１０】
（構成）
（装置全体の構成）
図１は、実施例１の画像形成装置の外観図である。本装置は、本体筐体１と、上方に開くトップカバー２と、手前側に開くフロントパネル３からなり、フロントパネル３の下部には、印刷用の媒体（以下、「印刷媒体」という）を入れる給紙トレイ４が収納される。トップカバー２の手前側には操作部７が設置され、トップカバー２の上面はスタッカ６となっており、印刷済みの印刷媒体は装置奥側の排出ローラ５を通ってスタッカ６上に排出される。
【００１１】
図２は、トップカバー２およびフロントパネル３を開けた状態を示す。トップカバー２の下側には、ブラック、イエロー、マゼンタ、シアン（以下、それぞれ「Ｋ」、「Ｙ」、「Ｍ」、「Ｃ」と略す）各色のイメージドラムカートリッジ９およびＬＥＤヘッド８が装着されており、装置奥側に定着器１０が装着されている。
【００１２】
図３は、印刷および搬送系の概略構成図である。印刷の際は、まず、給紙トレイ４に集積された印刷媒体が給紙ローラ１２によって１枚ずつ引き出され、ガイダンスローラ１３を通って搬送ベルト１１に乗せられる。搬送ベルト１１上に並んで配置されたイメージドラムカートリッジ９は、感光ドラム９ａとトナー供給機構を一体化したもので、ＬＥＤヘッド８の点灯または滅灯パターンに応じた潜像が感光ドラム９ａ上に形成され、帯電したトナーが潜像の上に付着し、このトナーが印刷媒体に転写される。そして、印刷媒体は搬送ベルト１１に乗って搬送され定着器１０に送られる。定着器１０は、加熱・加圧を行って、転写されたトナーを溶融し、印刷媒体上に固着させる。
【００１３】
図４は、操作部７の構成を示す概観図である。文字および図形を表示可能な表示部７ａと、ＵＰキー７ｂ、ＤＯＷＮキー７ｃ、ＢＡＣＫキー７ｄ、ＥＮＴＥＲキー７ｅ、ＣＡＮＣＥＬキー７ｆ、ＨＥＬＰキー７ｇの各操作キーを配する操作部７からなる。
【００１４】
ＵＰキー７ｂ、ＤＯＷＮキー７ｃにより設定操作画面の呼び出しおよび選択肢の変更を行い、ＥＮＴＥＲキー７ｅにより選択肢の確定、ＢＡＣＫキー７ｄで１つ前の設定操作画面に移動するものである。また、ＣＡＮＣＥＬキー７ｆは、印刷の中断や各操作の取り消しに用い、ＨＥＬＰキー７ｇは、操作方法のガイダンス表示を呼び出すのに使用するものである。
【００１５】
（印刷制御部の構成）
図５は、実施例１の画像形成装置の印刷制御ブロック図である。２０はマイクロプロセッサ、ＲＯＭ、ＲＡＭ、入出力ポート、タイマ等から構成される印刷制御部であり、上位装置から印刷データ及び制御コマンドを受信して印刷部の全体をシーケンス制御し、印刷動作を行う。さらに、印刷制御部２０は印刷媒体の搬送速度を決定し、決定された媒体搬送速度に基づいて印刷媒体の搬送制御を行う。
【００１６】
２１は、上位装置ヘ印刷情報を送信すると共に、上位装置から入力したコマンドを解析し、上位装置から受信した印刷データを処理するＩ／Ｆ制御部である。２２は、Ｉ／Ｆ制御部２１を介して上位装置から受信した印刷データに対して、ＰＤＬレンダリング、カラーマッチング、ＲＧＢ→ＣＭＹＫ変換、解像度変換、ＵＣＲ処理、ガンマ変換、ハーフトーニング等を行う画像処理部、及び画像処理されたデータを格納するメモリとからなるデータ処理部である。
【００１７】
７は、画像形成装置の状態を表示するための表示部７ａ及び画像形成装置ヘの操作者からの指示を与えるための前述のスイッチ７ｂ〜７ｇを備えた操作部である。２４は、印刷媒体の搬送位置を検出する複数のセンサ、装置内の温湿度を検出するためのセンサ及び濃度測定用のセンサであり、各センサの出力は印刷制御部２０へ入力されている。
【００１８】
２５は帯電電圧制御部で、印刷制御部２０の指示により各帯電器に電圧を印加して各感光体ドラム９ａの表面を帯電させる為の制御を行う。帯電電圧制御部２５は、イメージドラムカートリッジ９内の各帯電器への印加電圧を制御している。
【００１９】
２６は露光制御部であり、データ処理部内のメモリに格納されたイメージデータに従って各ＬＥＤヘッド８により各感光体ドラム９ａの表面に光を照射して露光させるための制御を行なうものである。露光制御部２６は、それぞれのヘッドヘイメージデータを所定のタイミングで送信するための制御を行う。
【００２０】
２７は各感光体ドラム９ａの表面に各ＬＥＤヘッド８により生成された静電潜像にトナーを付着させるための現像電圧制御部であり、各現像器に対し電圧を印加するための制御を行う。現像電圧制御部２７は、各現像器への印加電圧を制御する。そして、各ＬＥＤヘッド８で露光された部分にトナー像を形成する。
【００２１】
２８は各感光体ドラム９ａの表面に生成されたトナー像を搬送ベルト１１により搬送される印刷媒体に転写するための転写電圧制御部であり、印刷制御部２０の指示を受けて、イメージドラムカートリッジ９内の各転写器に対し電圧を印加するための制御を行う。転写電圧制御部２８は、イメージドラムカートリッジ９内の各転写器への印加電圧を制御し、各々の現像器で形成されたトナー像を印刷媒体に順次転写する。
【００２２】
２９は各感光ドラム９ａ、各帯電器、現像器を駆動するためのドラムモータ制御部であり、各モータをそれぞれ駆動制御する。３０は定着器１０を制御する定着制御部であり、印刷制御部２０の指示により各部の温度制御を行う。温度制御は、サーミスタにより各部の温度を検出しつつ、ヒータをオン・オフ制御し、一定温度に加熱し、温度が所定温度に達した時、定着器モータを回転駆動させる制御もおこなう。
【００２３】
３１は給紙トレイ４から印刷媒体を繰り出し、搬送する為の給紙ローラ１２、搬送ローラ１３、搬送ベルト１１を駆動するための図示しないモータのモータ制御部である。
【００２４】
（動作）
（状態遷移）
以上の構成により実施例１の画像形成装置は、以下のように動作する。この動作を、まず、ガイダンス表示遷移図を用いてその動作の概要を説明する。図６は、搬送ベルトの寿命が到来しその交換を操作者に促すときに、操作部７の表示部７ａに表示される内容の遷移を示した図である。
【００２５】
まず、印刷制御部２０にて搬送ベルト１１の回転回数をカウントし、このカウント値が所定の値に到達すると、搬送ベルト１１の寿命エラーを表示し交換を促すメッセージを表示する（状態Ｇ０１・エラー表示Ｘ）。この場合、印刷処理を継続することができないので、以降の印刷要求を受け付けないようにする。
【００２６】
そして、操作者が前記エラー表示ＸにおいてＤＯＷＮキー７ｃを押下すると、前記エラーの復旧手順の概要を示す概要ガイダンスＸを表示部７ａに表示する（状態Ｇ０２）。ここで、ＨＥＬＰキー７ｇを押下するとエラーの復旧手順の詳細を示すガイダンスＸを表示部７ａに表示する。この詳細ガイダンスＸの遷移を図７の画面１ａ〜１ｆに示す。
【００２７】
詳細ガイダンスＸは、操作の各場面を示す図を所定の時間間隔で自動的に切り替えて表示する。例えば、同図に示したように２秒程度の間隔で表示を切り替えるようにするとよい。そして、エラー復旧手順を最後まで表示し終えると、呼び出し元である状態Ｇ０２の概要ガイダンスＸの表示画面に戻る。
【００２８】
一方、概要ガイダンスＸの表示画面（状態Ｇ０２）において、操作者がＵＰキー７ｂを押下すると、状態Ｇ０１のエラー表示Ｘ画面（状態Ｇ０１）に戻す。
【００２９】
エラー表示Ｘ画面（状態Ｇ０１）または概要ガイダンスＸ表示画面（状態Ｇ０２）において、操作者が、エラー復旧手順の最初のステップとなっているトップカバー２を開け、それを印刷制御部２０が検出すると、搬送ベルト１１の寿命エラーに加えて、カバーが開いていることを示すエラー表示に切り替える（状態Ｇ０３・エラー表示Ｙ）。
【００３０】
そして、操作者が、エラー表示Ｙ画面においてＤＯＷＮキー７ｃを押下すると、状態Ｇ０３のエラーの復旧手順の概要を示す概要ガイダンスＹを表示部７ａに表示する（状態Ｇ０４）。ここで、ＨＥＬＰキー７ｇを押下すると、状態Ｇ０３のエラーの復旧手順の詳細を示すガイダンスＹを表示部７ａに表示する。本例の場合では、この場合の詳細ガイダンスＹは、前述の詳細ガイダンスＸの表示画面遷移図である図７の画面１ａ〜１ｆと同様である。
【００３１】
状態Ｇ０３のエラーの復旧手順の詳細ガイダンスＹも状態Ｇ０１のエラーの復旧手順の詳細ガイダンスＸと同じように、一連の画面を、所定の時間間隔で自動的に切り替えて表示し、エラー復旧手順の詳細ガイダンスＹの表示を終了すると、概要ガイダンスＹの表示画面（状態Ｇ０４）に戻る。
【００３２】
そして、操作者がＵＰキー７ｂを押下すると、エラー表示Ｙの画面（状態Ｇ０３）に戻す。エラー表示Ｙの画面（状態Ｇ０３）または概要ガイダンスＹの表示画面（状態Ｇ０４）において、操作者が、ガイダンスに従って搬送ベルト１１を交換しトップカバー２を閉めたことを印刷制御部２０が検出すると、エラー状態を解除して印刷準備が完了したことを表示部７ａに表示しガイダンス表示処理を終了する（状態Ｇ０５）。
【００３３】
（制御動作）
次に、図８および図９の動作フローチャート図を用いて、実施例１の印刷制御部２０のガイダンス表示に関する動作を詳細に説明する。まず、印刷制御部２０は、搬送モータの回転数からベルトの回転数を求め、累積回転数Ｂｅ１を累積加算する（ステップＳ１１）。
【００３４】
そして、累積回転数Ｂｅ１が予め記憶した搬送ベルト１１の回転寿命ｂｅｍａｘと比較し、Ｂｅ１がｂｅｍａｘより大きいときは（ステップＳ１２）、初期設定として変数ｍ及びｎに０を書き込む（ステップＳ１３）。
【００３５】
ここで、変数ｍは、エラー表示ＸまたはＹ（図６左側）を表示するか概要ガイダンスＸまたはＹ（図６右側）を表示するかを設定する制御変数で、"０"のときはエラー表示をし、"１"のときは概要ガイダンス（または詳細ガイダンス）を表示することを意味するものである。また、変数ｎは、概要ガイダンスを表示するか、詳細ガイダンスを表示かを判定する制御変数で、"０"のときは概要ガイダンスを表示し、"１"のときは詳細ガイダンスを表示することを意味するものである。
【００３６】
再び動作フローチャート図に戻って、次に、変数ｍの値を判定し（ステップＳ１４）、ｍが０の場合は、操作部の表示部７ａに搬送ベルト寿命エラーを表示する（ステップＳ１５・図６の状態Ｇ０１）。そして、印刷制御部２０は、Ｄｏｗｎキー７ｃが押下されたと判断すると（ステップＳ１６）、変数ｍに１を書き込み（ステップＳ１７）、トップカバー２が開かれたことを検知すると（ステップＳ１８）、図９の動作フローチャート図の結合子Ｃに移行し、そうでない場合はステップＳ１４に戻る。
【００３７】
一方、ステップＳ１４において、変数ｍが１の場合は、概要ガイダンスＸを表示するか、詳細ガイダンスＸを表示するかを判定するステップＳ１９に移行し、変数ｎが０の場合はステップＳ２０で状態Ｇ０２の概要ガイダンスＸを表示し、変数ｎが１の場合は図７の画面１ａ〜１ｆの詳細ガイダンスＸを表示する（ステップＳ２１）。
【００３８】
そして、詳細ガイダンスＸの表示が終了すると（ステップＳ２１）、変数ｎに０を書き込む（ステップＳ２２）。次に、印刷制御部２０は、Ｄｏｗｎキー１ｃが押下されたことを検知すると（ステップＳ２３）、ステップＳ１４で変数ｎに１を書き込みステップＳ１９に戻り、ステップＳ２１にて再度詳細ガイダンスＸの表示を行う（ステップＳ２４）。
【００３９】
一方、Ｕｐキー７ｂが押下されたことを検知すると（ステップＳ２５）、変数ｍに０を書き込み（ステップＳ２６）、ステップＳ１８に移行し、トップカバー２のオープンを検出すると、図９の動作フローチャート図の結合子Ｃに移行する。
【００４０】
図９の結合子Ｃに処理が移行されると、印刷制御部２０は、変数ｍの値を判定し（ステップＳ２７）、ｍが０の場合は、印刷制御部２０は、操作部７の表示部７ａに搬送ベルト寿命エラーとカバー開を表示する（ステップＳ２８・図６の状態Ｇ０３）
【００４１】
そして、印刷制御部２０は、Ｄｏｗｎキー７ｃが押下されたと判断すると（ステップＳ２９）、ｍに１を書き込む（ステップＳ３０）。そして、印刷制御部２０は、トップカバーが閉じたことを検知すると（ステップＳ３１）、ステップＳ４０に処理を移し、そうでない場合はステップＳ２７に処理を移す。
【００４２】
一方、ステップＳ２７において、変数ｍが１の場合は、概要ガイダンスＹを表示するか、詳細ガイダンスＹを表示するかを判断するステップＳ３２に処理を移行し変数ｎの値を判定し、変数ｎが０の場合は、図６の状態Ｇ０４の概要ガイダンスＹを表示し（ステップＳ３３）、変数ｎが１の場合は図７の画面１ａ〜画面１ｆの詳細ガイダンスＹを表示し（ステップＳ３４）、詳細ガイダンスＹの表示が終了すると変数ｎに０を書き込む（ステップＳ３５）。
【００４３】
そして、印刷制御部２０は、Ｄｏｗｎキー７ｃが押下されたことを検知すると（ステップＳ３６）、変数ｎに１を書き込み（ステップＳ３７）、ステップＳ３２に戻り、ステップＳ３４にて再度詳細ガイダンスＹの表示を行う。一方、Ｕｐキー７ｂが押下されたことを検知すると（ステップＳ３８）、変数ｍに０を書き込み（ステップＳ３９）、ステップＳ３１に処理を移す。
【００４４】
そして、印刷制御部２０は、ステップＳ３１でトップカバークローズが検知されると、新しい搬送ベルト１１に交換されたかどうかを判定し（ステップＳ４０）、交換されたと判定した場合は、ベルト累積回転数Ｂｅ１を０にリセットし（ステップＳ４１）、搬送ベルト寿命エラーを解除する。一方、新しい搬送ベルト１１に交換されていないと判定したときは、図８の結合子Ｄに移行しステップＳ１４に処理を移行し、前述と同様に、変数ｍ、ｎの値に応じ、エラー表示、概要ガイダンス表示或いは詳細ガイダンス表示を行う。
【００４５】
（実施例１の効果）
以上述べたように、実施例１の画像形成装置によれば、装置の状態に応じた操作ガイダンスの概要を表示し、或いはさらに操作ガイダンスの詳細を表示するようにしたので、操作手順の全容を容易に把握することができる。
【００４６】
その結果、精通した操作者にとっては、操作ガイダンスの詳細を見ることなく、操作ガイダンスの概要だけで操作を行うことができ、不慣れな操作者にとっては、操作ガイダンスの概要を見て、さらに操作ガイダンスの詳細も見ることができるので、確実な操作を行うことができる。
【実施例２】
【００４７】
実施例２の画像形成装置は、詳細ガイダンス表示中に、当該詳細ガイダンスの表示を停止し概要ガイダンスを表示できるようにしたものである。
【００４８】
（構成）
実施例２の画像形成装置の構成は、実施例１の構成と同様あるので簡略化のためにその詳細な説明を省略する。
【００４９】
（動作）
（状態遷移）
以上の構成により実施例２の画像形成装置は、以下のように動作する。この動作を、まず、ガイダンス表示遷移図を用いてその動作の概要を説明する。図１０は、実施例１と同様、搬送ベルトの寿命が到来しその交換を操作者に促すときに、操作部７の表示部７ａに表示される内容の遷移を示した図である。なお、同図における状態Ｇ１１、Ｇ１３、Ｇ１５は実施例１と同様であるので、その説明を簡略化する。
【００５０】
まず、印刷制御部２０にて搬送ベルト１１の回転回数をカウントし、このカウント値が所定の値に到達すると、搬送ベルト１１の寿命エラーを表示し交換を促すメッセージを表示する（状態Ｇ１１・エラー表示Ｘ）。
【００５１】
そして、操作者が前記エラー表示においてＤＯＷＮキー７ｃを押下すると、エラーの復旧手順の概要を示す概要ガイダンスＸを表示部７ａに表出する（状態Ｇ１２）。ここで、ＨＥＬＰキー７ｇを押下するとエラーの復旧手順の詳細を示すガイダンスＸを表示部７ａに表示する。この詳細ガイダンスＸの遷移を図１１の画面１ａ〜１ｆに示す。
【００５２】
詳細ガイダンスＸは、所定の時間間隔で自動的に切り替えて表示する。例えば、同図に示したように２秒程度の間隔で表示を切り替えるようにするとよい。そして、エラー復旧手順を最後まで表示し終えたときは、所定の時間遅延をおいて、詳細ガイダンスＸを表示する前の画面である状態Ｇ１１に戻る。例えば、同図に示したように５秒程度のウェイトを設けるようにするとよい。
【００５３】
このとき、詳細ガイダンスＸの各画面において、操作者による任意の操作が行われたときは、概要ガイダンスＸの表示画面（状態Ｇ１２）に戻る。
【００５４】
そして、概要ガイダンスＸの表示画面（状態Ｇ１２）において、ＵＰキー７ｂが押下されたときは、エラー表示Ｘの画面（状態Ｇ１１）に戻る。エラー表示Ｘの画面（状態Ｇ１１）または概要ガイダンスＸの表示画面（状態Ｇ１２）において、操作者がエラー復旧手順の最初のステップとなっているトップカバー２を開け、それを印刷制御部２０が検出すると、搬送ベルト１１の寿命エラーに加えて、カバーが開いていることを示すエラー表示に切り替える（状態Ｇ１３・エラー表示Ｙ）。
【００５５】
そして、操作者が、状態Ｇ１３のエラー表示ＹにおいてＤＯＷＮキー７ｃを押下すると、状態Ｇ１３のエラーの復旧手順の概要を示す概要ガイダンスＹを表示部７ａに出す（状態Ｇ１４）。ここで、ＨＥＬＰキー７ｇを押下すると、状態Ｇ１３のエラーの復旧手順の詳細を示すガイダンスＹを表示部７ａに表示する。この場合の詳細ガイダンスＹは、前述の図１１の画面１ａ〜１ｆと同様である。
【００５６】
この復旧手順の詳細ガイダンスＹの表示も、前述の復旧手順の詳細ガイダンスＸと同じように、一連の画面を、所定の時間間隔で自動的に切り替えて表示し、エラー復旧手順を最後まで表示し終えた場合は、所定の時間遅延の後、詳細ガイダンスを表示する前の画面であるエラー復旧手順の最初の操作画面である状態Ｇ１４に戻る。
【００５７】
このとき、詳細ガイダンスＹの各画面において、操作者による任意の操作が行われたときは、概要ガイダンスＹの表示画面（状態Ｇ１４）に戻る。
【００５８】
そして、操作者がＵＰキー７ｂを押下すると、状態Ｇ１３のエラー表示Ｙの画面に戻す。エラー表示Ｙまたは概要ガイダンスＹの表示画面において、操作者がガイダンスに従って搬送ベルト１１を交換し、トップカバー２を閉めたことを検出すると、エラー状態を解除して印刷準備が完了したことを表示部７ａに表示しガイダンス表示処理を終了する（状態Ｇ１５）。
【００５９】
（制御動作）
次に、図１２の動作フローチャート図を用いて、実施例２の印刷制御部２０のガイダンス表示に関する制御動作を詳細に説明する。なお、は、ステップＳ２１、ステップ３４の詳細ガイダンス表示の処理以外は、図８、図９を用いて実施例１にて説明したガイダンス表示動作と同様であるので、簡略化のために、その説明を省略する。
【００６０】
すなわち、実施例２のガイダンス表示動作では、図１０における状態Ｇ１２またはＧ１４においてＨＥＬＰキー７ｇが押下されると、図１２に示した処理を行うようになっている。
【００６１】
まず、詳細ガイダンスの画面２ａを表示する（ステップＳ５１）。そして、印刷制御部２０にて操作部７の任意のキーが押下されたことを検知したときは（ステップＳ５２）、変数ｎを０クリアし（ステップＳ６３）、詳細ガイダンスＸの表示の場合は、図８のステップＳ１９に処理を移行し、詳細ガイダンスＹの表示の場合は、図８のステップＳ３２に処理を移行する。すると、ｎが０であるので図８のステップＳ１９またはＳ３２の判定により図８のステップＳ２０またはＳ３３の概要ガイダンスＸまたはＹの表示が行われる。
【００６２】
再び図１２に戻って、一方、操作部７のキー押下が検知されない場合は、次のガイダンスとして画面２ｂを表示する（ステップＳ５３）。以下、同様に、ガイダンス表示中に任意のキーが押下された場合はステップＳ６３以降の処理を行い、なにもキーが押下されないときは、順に詳細ガイダンスを表示しキー入力有無を判定し（ステップＳ５３〜Ｓ６０）、最後の詳細ガイダンス画面２ｆを表示した後（ステップＳ６１）、所定の時間Ｔｄウェイトした後（ステップＳ６２）、呼出し先に戻り、詳細ガイダンス表示処理を終了する。なお、図１１の詳細ガイダンス表示遷移図を用いて説明したように、前記ウェイト時間Ｔｄは、５秒程度とするのがよい。
【００６３】
以上のようにすることにより、詳細ガイダンスＸまたはＹをすべて表示することなく、表示の途中でも、任意のキー操作により概要ガイダンスを再度表示し、簡単に確認することができる。
【００６４】
（実施例２の効果）
以上述べた実施例２の画像形成装置によれば、詳細ガイダンス表示中に、当該詳細ガイダンスの表示を停止しガイダンスの概要を表示できるようにしたので、実施例１の効果に加えて、詳細ガイダンスの表示の途中でも、概要ガイダンスを再度表示して確認することができるとともに、再度各詳細ガイダンスの再表示も簡単に行うことができる。
【００６５】
《その他の変形例》
以上の実施例の説明では、詳細ガイダンス表示において、所定の時間間隔で自動的に画面を切り替えるようにしたが、ＵＰキー７ｂ、ＤＯＷＮキー７ｃの操作により詳細ガイダンスの各画面を進めたり戻したりするようにしてもよい。
【００６６】
或いは、所定の時間経過後に詳細ガイダンス画面を切り替え、任意のキーが押下されたときに画面の自動切り替えを停止するようにし、カバーを開くなどのキー押下以外の操作により、詳細ガイダンス表示から概要ガイダンスに戻るようにしてもよい。
【００６７】
或いは、以上の実施例の説明では、概要ガイダンス表示中に、所定のキー操作により詳細ガイダンス表示に切り替えるようにしたが、一定時間経過後、自動的に詳細ガイダンス表示に切り替えるようにしてもよい。
【産業上の利用可能性】
【００６８】
以上述べたように、本発明は、操作ガイダンスを表示する機能を有する画像形成装置などにおいて広く用いることができる。
【図面の簡単な説明】
【００６９】
【図１】実施例１の画像形成装置の構成図である。
【図２】実施例１の画像形成装置の構成図（トップカバー等が開かれた状態）である。
【図３】実施例１の画像形成装置の印刷機構のブロック図である。
【図４】実施例１の画像形成装置の操作部の構成図である。
【図５】実施例１の画像形成装置の印刷制御ブロック図である。
【図６】実施例１の画像形成装置の状態遷移図である。
【図７】実施例１の画像形成装置の表示画面遷移図である。
【図８】実施例１の画像形成装置の動作フローチャート図である。
【図９】実施例１の画像形成装置の動作フローチャート図である。
【図１０】実施例２の画像形成装置の状態遷移図である。
【図１１】実施例２の画像形成装置の表示画面遷移図である。
【図１２】実施例２の画像形成装置の動作フローチャート図である。
【符号の説明】
【００７０】
７    操作部
７ａ  表示部
７ｂ  ＵＰキー
７ｃ  ＤＯＷＮキー
７ｄ  ＢＡＣＫキー
７ｇ  ＨＥＬＰキー
２０  印刷制御部
２４  各種センサ
【図１】
2007264072.tif 000003
【図２】
2007264072.tif 000004
【図３】
2007264072.tif 000005
【図４】
2007264072.tif 000006
【図５】
2007264072.tif 000007
【図６】
2007264072.tif 000008
【図７】
2007264072.tif 000009
【図８】
2007264072.tif 000010
【図９】
2007264072.tif 000011
【図１０】
2007264072.tif 000012
【図１１】
2007264072.tif 000013
【図１２】
2007264072.tif 000014